(57)【要約】【課題】イジェクト機構を構成する部品点数が少なく、製造組立も容易であり、さらに、カードコネクタ全体の剛性を損ねることがないカードコネクタを提供する。【解決手段】合成樹脂材料からなるベース部材と金属材料からなるカバー部材とで、挿抜されるカードの少なくとも一部を収容し得るカード収容空間を形成するカードコネクタであって、前記ベース部材を構成する側壁には、前記カバー部材をカード挿入口に向けて付勢するコイルバネを収容する凹溝、ハート形カム機構及び案内レールが設けられ、前記カバー部材には、一端がベース部材に支持される前記コイルバネの他端に係合するストッパ、一端が前記ハート形カム機構のカム溝を移動するロック金具の他端を回動自在に支持する支持片、及び前記案内レールに係合する係合片が設けられ、前記カバー部材は、挿抜されるカードとともに、前記ベース部材に対して移動可能に形成されている。【選択図】図３
2007323945.tif 000002
【特許請求の範囲】
【請求項１】
合成樹脂材料からなるベース部材と金属材料からなるカバー部材とで、挿抜されるカードの少なくとも一部を収容し得るカード収容空間を形成するカードコネクタであって、
前記ベース部材には、前記カバー部材をカード挿入口に向けて付勢するコイルバネを収容する凹溝、ハート形カム機構及び案内レールが設けられ、
前記カバー部材には、一端がベース部材に支持される前記コイルバネの他端に係合するストッパ、一端が前記ハート形カム機構のカム溝を移動するロック金具の他端を回動自在に支持する支持片、及び前記案内レールに係合する係合片が設けられ、
前記カバー部材は、挿抜されるカードとともに、前記ベース部材に対して移動可能に形成されていることを特徴とするカードコネクタ。
【請求項２】
前記カバー部材には、さらに、ロック金具を抑える押さえバネが設けられていることを特徴とする請求項１に記載のカードコネクタ。
【請求項３】
前記カバー部材には、さらに、カードに当接する当接部材が設けられていることを特徴とする請求項１に記載のカードコネクタ。
【請求項４】
前記案内レールは、前記ベース部材を構成する側壁外面に設けられる凹部により形成されることを特徴とする請求項１に記載のカードコネクタ。
【請求項５】
前記案内レールは、金属製の案内棒で形成されることを特徴とする請求項１に記載のカードコネクタ。
【発明の詳細な説明】
【技術分野】
【０００１】
本発明は、携帯電話機のような電子機器とメモリ用などの集積回路が内蔵されたカード（以下、「ＩＣカード」と称す。）を接続するためのカードコネクタに関し、特に、ＩＣカードの着脱を容易に且つ確実に行うプッシュ・プッシュ式のイジェクト機構を備えるカードコネクタに関する。
【背景技術】
【０００２】
携帯電話機、カメラ等の電子機器においては、ＩＣが内蔵されたＳＩＭ（subscriber identity module）カード、ＭＭＣ（multi media card）、ＳＤ（secure digital）カードなどのＩＣカードを装着して機能拡張などを行うようにしている。
【０００３】
このようなＩＣカードを電子機器に着脱自在に搭載するために、カードコネクタが必要とされる。該カードコネクタにおいては、従来から、例えば、特許文献１に示されるように、ＩＣカードの挿抜を容易に且つ確実に行うことができるように、プッシュ・プッシュ式のイジェクト機構が設けられている。
【０００４】
特許文献１に開示されるカードコネクタは、ベース部材とカバー部材とでカード収容空間を形成している。そのプッシュ・プッシュ式イジェクト機構は、イジェクト部材、コイルバネ、ハート形カム機構、及びロック金具を含んでいる。イジェクト部材は、挿抜されるＩＣカードに当接し、該ＩＣカードとともにカード収容空間内を移動し、コイルバネは、イジェクト部材をＩＣカード抜き取り方向に付勢している。また、ハート形カム機構は、概略ハート形状をなすハートカムと該ハートカムを取り囲むカム溝を含み、イジェクト部材またはベース部材に形成される。ロック金具は、一端に設けられたピンがハート形カム機構のカム溝内を移動し、他端は、例えば、ハート形カム機構がベース部材に形成されている場合、イジェクト部材に回動自在に支持される。
【０００５】
ＩＣカードがカードコネクタのカード収容空間内に押し込まれるように挿入されると、ＩＣカードがイジェクト部材に当接し、それにより、ＩＣカードとともにイジェクト部材もコイルスプリングの付勢力に抗して移動する。この時、ロック金具の一端に設けられたピンもカム溝内を移動する。
【０００６】
ＩＣカードをカードコネクタのカード収容空間内いっぱいに押し込んだ後、手を離すと、ロック金具のピンがハート形カム機構のハートカムの窪み内に入り込み、イジェクト部材及びＩＣカードのコイルバネによる戻りを妨げる。それにより、ＩＣカードは、カードコネクタ内にロックされ、電子機器と電気的に接続された状態を維持する。
【０００７】
再度、ＩＣカードを押し込むと、ロック金具のピンがハートカムの窪みから外れることで、イジェクト部材はコイルバネの付勢力で当初位置に戻る。それにより、該イジェクト部材に当接するＩＣカードもロック状態を解除されることで、カード収容空間から抜き取り可能となる。
【０００８】
上記特許文献１に開示されるカードコネクタにおけるイジェクト部材に代えて、可動プレートを採用したり、カードケースを採用したりするカードコネクタも提案されている（特許文献２乃至４参照）。
【０００９】
【特許文献１】特開２０００−２５１０２４号公報
【特許文献２】特開２００３−７７５８６号公報
【特許文献３】特開２００５−３１７３８３号公報
【特許文献４】特開２０００−２６０５２４号公報
【発明の開示】
【発明が解決しようとする課題】
【００１０】
特許文献１乃至３に開示されるようなタイプの従来のカードコネクタにおいては、挿抜されるＩＣカードとともに移動する部材としてのイジェクト部材や可動プレートあるいはスライダ部材が、カードコネクタのイジェクト機構を構成する部品として別途必要であり、部品点数が多くなるとともに、近年要求されるカードコネクタの小型化あるいは薄型化を困難にしている。
【００１１】
特許文献４に開示されるようなタイプの従来のカードコネクタにおいては、カードケースが挿抜されるＩＣカードとともに移動する部材と該ＩＣカードをカバーする部材の両部材を兼ねており、部品点数としては１つ少なくて済む。
【００１２】
しかしながら、このタイプのカードコネクタにおいても、ＩＣカードとともに移動するカードケースは、カードコネクタを構成するベース部材の側壁内を移動するように構成されている。したがって、ハート形カム機構を、例えば、カードケース側に設ける場合、ロック金具及び該ロック金具を抑えるばねを設ける必要があり、その分カードコネクタの幅や厚さを小さくすることができない。また、カードコネクタ全体としての剛性を維持することを考慮するとベース部材やカードケースを肉厚とする必要がある（ベース部材も、コンタクトなどを支持するので金属製とすることができない）。
他方、ハート形カム機構をベース部材側に設けた場合、カードケースを金属製とし得るが、カードケースは、従来のカバー部材のようにベース部材を覆う形状でないため、ベース部材の側壁や底壁の厚さを大きくする必要がある。また、ベース部材側にハート形カム機構を設けるために工夫が必要であり、場合によっては、組立が複雑になる恐れがある。
【００１３】
本発明の目的は、以上のような問題点に鑑み、ＩＣカードの着脱を容易に且つ確実に行うことができるイジェクト機構を備えるとともに、該イジェクト機構を構成する部品点数が少なく、製造組立も容易であり、さらに、カードコネクタ全体の剛性を損ねることがないカードコネクタを提供することにある。
【課題を解決するための手段】
【００１４】
上記目的を達成するために、本発明のカードコネクタは、合成樹脂材料からなるベース部材と金属材料からなるカバー部材とで、挿抜されるカードの少なくとも一部を収容し得るカード収容空間を形成するカードコネクタであって、前記ベース部材を構成する側壁には、前記カバー部材をカード挿入口に向けて付勢するコイルバネを収容する凹溝、ハート形カム機構及び案内レールが設けられ、前記カバー部材には、一端がベース部材に支持される前記コイルバネの他端に係合するストッパ、一端が前記ハート形カム機構のカム溝を移動するロック金具の他端を回動自在に支持する支持片、及び前記案内レールに係合する係合片が設けられ、前記カバー部材は、挿抜されるカードとともに、前記ベース部材に対して移動可能に形成されていることを特徴とする。
【００１５】
本発明のカードコネクタは、また、前記カバー部材に、さらに、ロック金具を抑える押さえバネが設けられていることを特徴とする。
【００１６】
本発明のカードコネクタは、また、前記カバー部材には、さらに、カードに当接する当接部材が設けられていることが好ましい。
【００１７】
本発明のカードコネクタは、前記案内レールが前記ベース部材を構成する前記側壁外面に設けられる凹部により形成されていてもよいし、金属製の案内棒で形成されていてもよい。
【発明の効果】
【００１８】
本発明は、挿抜されるカードとともに、前記ベース部材に対して移動可能に形成されていることで、従来イジェクト機構の構成部品として使用されていたイジェクト部材を省略することができる。それにより、カードコネクタの部品点数が減り、該カードコネクタを安価に作成することができるとともに、その組立も容易となる。
【００１９】
また、カバー部材にロック金具を支持する支持片と押さえバネを設けることで、常にロック金具の所定の位置を押さえることが可能となり、ロック金具のカム溝内の移動を確実にするとともに、従来のイジェクト機構におけるロック金具と押さえバネの相対的移動による該ロック金具の変形等を防止できる。
【発明を実施するための最良の形態】
【００２０】
以下、本発明に係るカードコネクタの実施態様につき図１乃至図９を用いて詳細に説明する。
【００２１】
図１は、本発明のカードコネクタの１つの実施例であって、カードが挿入されていない状態におけるカードコネクタを示し、（ａ）は、カードコネクタの概略上面図、（ｂ）は、（ａ）に示されるカードコネクタの概略側面図である。図２は、図１（ａ）に示されるカードコネクタであって、カバー部材が取り外された状態の概略上面図である。図３は、ＩＣカードのカードコネクタへの装着を説明するための図であり、（ａ）は、ＩＣカードが挿入され、カバー部材に当接した状態におけるカードコネクタの概略上面図であり、（ｂ）は、（ａ）に示されるカードコネクタのＩＩＩ−ＩＩＩ線に沿う概略断面図である。図４は、ＩＣカードのカードコネクタへの装着を説明するための図であり、（ａ）は、ＩＣカードが最奥まで押し込まれた状態におけるカードコネクタの概略上面図であり、（ｂ）は、（ａ）に示されるカードコネクタのＩＶ−ＩＶ線に沿う概略断面図である。図５は、ＩＣカードのカードコネクタへの装着を説明するための図であり、（ａ）は、ＩＣカードが装着されている状態におけるカードコネクタの概略上面図であり、（ｂ）は、（ａ）に示されるカードコネクタのＶ−Ｖ線に沿う概略断面図である。図６は、図５（ａ）のＶＩ−ＶＩ線に沿う概略断面図であり、図７は、図５（ａ）のＶＩＩ−ＶＩＩ線に沿う概略断面図である。図８は、本発明の別カードコネクタの実施例であって、図３（ａ）と同様の状態にあるカードコネクタの概略上面図である。図９は、図８のＩＸ−ＩＸ線に沿う概略断面図である。
【００２２】
本明細書において使用される用語、「前」、「後」、「左」、及び「右」は、図１（ａ）において、それぞれ、上、下、左、及び右をいい、また、用語「上」及び「下」は、図１（ｂ）において、左及び右をいう（図１（ａ）でいえば、紙面に対して、表、裏をいう）。
【００２３】
（第１の実施例）
図１乃至７に本発明に係るカードコネクタの第１の実施例が示される。図１、２は、カードコネクタ１内にＩＣカード７０が挿入されていない状態を示す。図１、２に示されるように、カードコネクタ１は、概略、ベース部材１０、カバー部材３０、複数のコンタクト５０、及びイジェクト機構を含んでいる。
【００２４】
ベース部材１０は、電気的に絶縁性の合成樹脂から作成され、概略矩形状の底壁１１、該底壁１１から上方に延在する左側壁１２、右側壁１３、及び前壁１４を含んでいる。ベース部材１０の後方は開放されており、カード挿入口２８を構成する。ベース部材１０は、また、上方も開放されているが、後述するカバー部材３０で上方を覆われることで、挿抜されるＩＣカード７０の少なくとも一部を収容し得るカード収容空間を形成する。
右側壁１３上面の前方には、その中間部から前壁１４までの前後方向に延在し、上方に開放する凹溝２１が形成される。該凹溝１９には、前後方向に伸縮する、後述するイジェクト機構を構成するコイルバネ５９が収容される。凹溝１９は、前方に行くに従い該凹溝１９の深さが漸次浅くなるように、傾斜または下に凸に湾曲していることが好ましい。このように構成することで、前後方向に圧縮されるコイルバネ５９が上方に飛び出すことが防止される。
【００２５】
右側壁１３上面の後方には、後述するイジェクト機構を構成するハート形カム機構５５が形成される。ハート形カム機構は、従来と同様に、ハートカム５６及び該ハートカム５６を取り囲むカム溝５７を含んでいる。右側壁１３の上面であって、凹溝１９とハートカム機構５５とのイダには、ガイド溝２７が設けられていることが好ましい。該ガイド溝２７は、凹溝１９に収容されるコイルバネ５９の他端を支持するカバー部材３０の支持片４１や、イジェクト機構を構成するロック部材５８の前後方向への移動を助けるために設けられる。該ガイド溝２７は、上方、前方及び後方に開放しており、前方は、凹溝１９に、後方は、ハート型カム機構５５に開放している。
【００２６】
右側壁１３外面（右側壁１３の右側の面）には、図１（ｂ）に示されるように、前後方向に延在し、下方及び右方に開放する第１の（前方側）凹部１５、第２の（後方側）凹部１６の２つの凹部が形成される。該第１の凹部１７及び第２の凹部１８が形成されることにより、右側壁１２外面の上部には、それぞれ第１および第２の案内レールが形成されることになる。該第１及び第２の案内レールには、後述するカバー部材３０の右側壁３３から突出する第１の係合片３８及び第２の係合片３９がそれぞれ係合する。第１の凹部１７及び第２の凹部１８の前後方向の長さは同じであり、その長さは、後述するカバー部材３０の前後方向の移動量（ストロークＳ）に第１の係合片３８または第２の係合片３９の長さを加えた長さに相当する。
【００２７】
左側壁１２外面（左側壁１２の左側の面）にも同様に、右側壁１３外面に形成される第１の凹部１７及び第２の凹部１８とそれぞれ対をなすように、第１の凹部（不図示）及び第２の凹部１６（図６参照）が形成される。したがって、左側壁１２にも第１及び第２の案内レールが形成されることになる。
【００２８】
なお、数字２０は、左側壁１２と前壁１４とが合流する部分に形成された傾斜面であり、ＩＣカード７０の先端に形成される傾斜面と当接し、該ＩＣカード７０の逆指しを防止するためのものである。また、数字２１乃至２４は、左右の側壁１２、１３のそれぞれの上面及び外面に向かって開放する嵌め込み凹部であり、その下部が、左右の側壁１２、１３にそれぞれ形成されている第１及び第２の凹部の上部に連通している。したがって、嵌め込み凹部２１乃至２４を介して、カバー部材３０の左右の側壁３２、３３から突出する４つの係合片を、対応する第１及び第２の凹部に嵌め込むことができる。さらに、数字２５は、ベース部材１０の底壁１１を貫通する略矩形状の開口であり、複数のコンタクト５０それぞれの接点部５１と弾性変形部５２が配置される。また、数字２６は、ベース部材１０延いてはカードコネクタ１を電子機器等に固定するための固定金具であり、本実施例では図２及び図６に示されるように左右側壁１２、１３下方に２つずつ、合計４つ設けられている。
【００２９】
カバー部材３０は、金属製薄板から作成され、天板３１、該天板３１から略直角に折り曲げられて下方に向けて延在する左側壁３２、右側壁３３、及び前壁３４を含んでいる。カバー部材３０の後方は、開放されており、カード挿入口２８を構成する。カバー部材３０は、また、下方が開放されており、したがって、上述したように、ベース部材１０を覆って重ね合わされることで、ＩＣカード７０の少なくとも一部を収容し得るカード収容空間を形成する。本実施例においては、カバー部材３０は、図１（ａ）に示されるように、距離Ｓだけ前後方向に移動可能に構成される。それにより、本実施例におけるカバー部材３０は、挿抜されるＩＣカード７０のカード収容空間を形成するばかりでなく、従来のイジェクト機構を構成するイジェクト部材としても作用する。
【００３０】
カバー部材３０の天板３１は、略矩形状をなしている。図１に示されるように、ＩＣカード７０が挿入されていない状態において、カバー部材３０の天板３１は、ベース部材１０の後方を塞いでいる。言い換えると、ＩＣカード７０が挿入されていない状態では、ベース部材１０の前方は、天板３１の前壁３４からベース部材１０の前壁１４までの間の距離Ｓ分が開放されたままである。該距離Ｓは、カバー部材３０が前後方向に移動する移動量（ストロークＳ）に等しい。
【００３１】
カバー部材３０の天板３１には、右側壁３３に沿って且つ該右側壁３３に平行に、前方から第１の開口４０、第２の開口４２、及び第３の開口４４が適宜の長さを持って形成されている。
【００３２】
第１の開口４０の左側辺には、天板３１からの切り起こし片としてのストッパ４１が形成される。該ストッパ４１は、天板３１に垂直に下方に向かって折り曲げられ、コイルバネ５９の他端を支持している（例えば、図３（ｂ）参照）。
【００３３】
第２の開口４２の前方辺には、天板３１からの切り起こし片としての支持片４３が形成される。該支持片４３は、最初に天板３１に垂直に下方に向かって折り曲げられ、次に天板３１に平行に後方に向かって折り曲げられている。支持片４３は、天板３１に平行な先端部分に貫通孔が開けられており、該貫通孔には、イジェクト機構を構成するロック金具５８の他端が回動自在に支持される。
【００３４】
第３の開口４４の前方辺には、天板３１からの切り起こし片としての押さえバネ４５が形成される。該押さえバネ４５は、天板３１に対して若干下方に傾斜するように折り曲げられている。該押さえバネ４５は、ロック金具５８を下方に向けて弾性的に押さえ、ロック金具５８の一端がハート形カム機構５５のカム溝５７から外れないようにしている。
【００３５】
カバー部材３０の右側壁３３には、前方から第１の係合片３８及び第２の係合片３９が下方に向かって突出形成されている。第１の係合片３８及び第２の係合片３９は、同じ寸法及び同じ形状を有している。係合片３８及び３９各々は、図６に示されるように、ベース部材３０に形成される第１または第２の案内レールを取り囲むように、その先端部が内側に折り曲げられている。結果として、係合片３８及び３９それぞれの先端部は、ベース部材３０の第１の凹部１７及び第２の凹部１８内に配置される。カバー部材の係合片３８及び３９がベース部材１０の案内レールに沿って案内されることで、カバー部材３０は前後方向に移動可能に形成される。したがって、カバー部材３０の前後方向の移動量（ストロークＳ）は、第１の係合片３８（または第２の係合片３９）が第１の凹部１７（または第２の凹部１８）内を移動する量によって決まる。
【００３６】
カバー部材３０の左側壁３２には、上記右側壁３３に形成される第１の係合片３８及び第２の係合片３９それぞれに対をなす第１の係合片（不図示）及び第２の係合片３７（図６参照）が形成される。具体的構成及び作用は、右側壁３３の係合片３８、３９と同じであるので説明を省略する。
【００３７】
なお、本実施例では、対をなす２つの案内レールと対応して対をなす２つの係合片でカバー部材３０の前後方向の移動を案内しているが、これに限られるものではなく、例えば、対をなす案内レールと対をなす係合片が少なくとも１以上あればよい。
【００３８】
カバー部材３０の前壁３４は、天板３１の前端でカード収容空間内に存在するように下方に垂直に折り曲げられており、挿抜されるＩＣカード７０の先端に当接する当接部材として作用する。
【００３９】
複数のコンタクト５０は、従来例と同様に、ベース部材１０の底壁１１に形成された固定溝または貫通孔を介してあるいはインサート成形により底壁１１に互いに平行に固定支持される。コンタクト各々は、接点部５１、弾性変形部５２、固定部５３、及び端子部５４を含み、このうち、接点部５１及び弾性変形部５２は、上述したように、底壁１１に形成される開口２５内に配置され、ＩＣカード７０が装着状態にあるとき、接点部５１が、弾性変形部５２を介して、ＩＣカード７０の外部接点であるパッドに所要の接圧で電気的に接触する（図７参照）。また、端子部５４は、ベース部材１０の前方から突出するように配置され、電子機器の外部接点に半田付けなどで電気的に接続される。
【００４０】
イジェクト機構は、本発明においては、カバー部材３０、ベース部材１０の右側壁１３前方に形成された凹溝１９内に収容されるコイルバネ５９、ベース部材１０の右側壁１３後方に形成されたハート形カム機構５５、及びロック金具５８を含んでいる。
【００４１】
カバー部材３０は、上述したように、前後方向に移動可能であり、カバー部材３０の天板３１に形成されているストッパ４１でその他端を支持しているコイルバネ５９（一端は、ベース部材１０の前壁１４により支持されている）の付勢力により、後方に向かって付勢されている。ところで、カバー部材３０は、その左右側壁３２、３３に形成されている第１及び第２の係合片が、ベース部材１０の左右側壁１２、１３に形成されている、対応する第１及び第２の凹部内にある。したがって、カバー部材３０は、ＩＣカードが挿入されない当初位置においては、図、（ｂ）に示されるように、その後縁がベース部材１０の後縁と面一になるように構成される。また、カバー部材３０の前壁３４は、上述したように、カード収容空間内に配置されるので、挿入されるＩＣカード７０の先端が当接し得る。
【００４２】
ロック金具５８は、概略Ｕ字形をなし、その一端は、ハート形カム機構５５のカム溝５７内を移動し、その他端は、カバー部材３０の天板３１に形成されている支持片４３に回動自在に支持されている。また、ロック金具５８の一端側は、カバー部材３０の天板３１に形成されている押さえバネ４５により、ロック金具５８の一端がカム溝５７から外れないように押さえている。ところで、ロック金具５８は、天板３１に形成されている支持片４３に支持されているので、カバー部材３０が移動するとき、同じく天板３１に形成されている押さえバネ４５と一緒に移動する。このような構成により、ロック金具５８は、カム溝５７内を移動することで左右に振れるとしても、押さえバネ４５によりロック金具５８の前後方向に関して常に略同じ部分を押さえられることになる。したがって、ロック金具５８の押さえバネ４５により押さえられる箇所を適切に選択することにより、従来のように、ロック金具５８と押さえバネ４５が相対的に移動することで、ロック金具５８が変形したり、ロック金具５８がカム溝５６から外れたりする恐れが全くなくなる。
【００４３】
以上説明したように、本発明におけるカードコネクタ１は、カバー部材３０が従来例におけるイジェクト部材を兼用するので、部品点数が少なくて済む。
次に、このような構成を備えるカードコネクタ１において、ＩＣカード７０の挿抜動作につき図３（ａ）乃至７を用いて詳細に説明する。
【００４４】
図３（ａ）、（ｂ）は、図１（ａ）に示されるカバー部材３０が当初位置にある状態において、ＩＣカード７０がカード収容空間内に押し込まれ、ＩＣカード７０の先端がカバー部材３０の前壁３４に当接した瞬間を示している。
【００４５】
この状態において、カバー部材３０は、挿入されたＩＣカード７０により全体的に若干押し上げられる。それにより、カバー部材３０の左側壁３２に形成される第１の係合片及び第２の係合片３７、及び右側壁３３に形成される第１の係合片３８及び第２の係合片３９が、それぞれに対応するベース部材１０の左右両側壁に構成された案内レールとの間に存在する遊びがなくなる。したがって、挿入されたＩＣカード７０は、カード収容空間内に、特に、上下方向に隙間なく収容される。
【００４６】
図３の状態から、コイルバネ５９の付勢力に抗してＩＣカード７０を、その前壁３４を介して当接しているカバー部材３０と一緒に押し込む。図４に示されるように、該ＩＣカード７０の先端が当接するカバー部材３０の前壁３４がベース部材１０の前壁１４に当接するまで、すなわちこれ以上ＩＣカード７０を押し込めなくなるまでＩＣカード７０を押し込む。この時、ロック部材５８の一端も、カム溝５７内を移動する。
【００４７】
図４の状態において、ＩＣカード７０の押し込み力を解除すると、カバー部材３０及びＩＣカード７０は、コイルバネ５９の付勢力により後方に押し戻される。この時、カム溝５７内を移動するロック部材５８の一端がハートカム５６の窪み部分に誘導され、該ハートカム５６の窪み部分に入り込み、カバー部材３０の戻りを阻止する。したがって、ＩＣカード７０及びカバー部材３０は、図５に示されるように、図４の位置より若干後方に戻った位置で停止し、この位置に保持される。
【００４８】
図５の状態において、ＩＣカード７０の外部接点であるパッドは、カードコネクタ１の対応するコンタクト５０に所定の接圧で電気的に接続され、電子機器との交信が可能となる。この時、ＩＣカード７０は、図６、７に示されるように、カード収容空間内に隙間なく収容されることで、また、複数のコンタクト５０と接触することで、カバー部材４１の天板３１に密着した状態を維持している。したがって、ＩＣカード７０は、図５の状態において、カードコネクタ１からの抜け落ちを阻止される。
【００４９】
以上により、ＩＣカード７０のカードコネクタ１への装着が完了する。
次に、交換などのためにＩＣカード７０をカードコネクタ１から取り出す動作について説明する。
【００５０】
図５の状態からコイルバネ５９の付勢力に抗してＩＣカード７０及びカバー部材３０を図４に示される状態まで前方に押し込む。これにより、ロック金具５８の一端がカム溝５７に案内され、ハートカム５６の窪み部分から離脱する。この時、押し込み力を解除すると、ロック金具５８は、カム溝５７に案内されて元の位置に移動する。したがって、カバー部材３０及びＩＣカード７０もコイルバネ５９の付勢力により、図３に示される当初位置に戻る。図３の状態から、指などを使ってＩＣカード７０をカード収容空間から抜き出すことで、ＩＣカード７０の取出しが完了する。
【００５１】
（第２の実施例）
図８、９に本発明に係るカードコネクタの第２の実施例が示されている。
【００５２】
本実施例のカードコネクタは、上記第１の実施例のカードコネクタと比べて、ベース部材１０とカバー部材３０とが重なり合うそれぞれの左側壁部分の構成が異なるのみで、その他の構成は全て同じである。
【００５３】
ベース部材１０の左側壁は、図８に示されるように、第１の実施例における第１の凹部（不図示）及び第２の凹部１６に該当する部分が完全に削除され、第１の切欠部１５’及び第２の切欠部１６’として形成され、わずかに、前方部分１２ａ、中間部分１２ｂ及び後方部分１２ｃを残す構造となっている。ベース部材１０の左側壁の前方部分１２ａと中間部分１２ｂの間及び中間部分１２ｂと後方部分１２ｃの間は、それぞれ、金属製の第１の案内棒１２１及び第２の案内棒１２２が渡されており、ベース部材１０の左側壁を補強している。第１及び第２の案内棒１２１、１２２は、例えば、インサート成形などによりベース部材１０に取り付けられる。第１の案内棒１２１及び第２の案内棒１２２は、第１の実施例における第１の案内レール及び第２の案内レールに相当する。
【００５４】
他方、カバー部材３０の左側壁３２’は、挿抜されるＩＣカード７０に直接接触するように天板３１から下方に折り曲げられている。さらに、該左側壁３２’から突出する第１の係合片３６’及び第２の係合片３７’は、図９に示されるように、第１の実施例とは逆に外側に向かって折り曲げられ、それぞれ、ベース部材１０の上記第１の案内棒１２１及び第２の案内棒１２２に係合する。
【００５５】
このように構成することで、第１、第２の案内棒１２１、１２２を介して電子機器のプリント基板に対してグランドを取ることにより、カードコネクタ１におけるノイズ対策を講じることが可能となる。本実施例では、案内棒と係合片による案内機構が一方の側壁（左側壁１２）のみに設けられているが、設計上許されるのであれば、左右両側壁に設けられてもよい。
【００５６】
本実施例におけるその他の構造は、上述したように、第１の実施例と同じであり、したがって、ＩＣカード７０の挿抜動作も全く同じであるので説明を省略する。
【図面の簡単な説明】
【００５７】
【図１】本発明のカードコネクタの１つの実施例であって、カードが挿入されていない状態におけるカードコネクタを示し、（ａ）は、カードコネクタの概略上面図、（ｂ）は、（ａ）に示されるカードコネクタの概略側面図である。
【図２】図１（ａ）に示されるカードコネクタであって、カバー部材が取り外された状態の概略上面図である。
【図３】ＩＣカードのカードコネクタへの装着を説明するための図であり、（ａ）は、ＩＣカードが挿入され、カバー部材に当接した状態におけるカードコネクタの概略上面図であり、（ｂ）は、（ａ）に示されるカードコネクタのＩＩＩ−ＩＩＩ線に沿う概略断面図である。
【図４】ＩＣカードのカードコネクタへの装着を説明するための図であり、（ａ）は、ＩＣカードが最奥まで押し込まれた状態におけるカードコネクタの概略上面図であり、（ｂ）は、（ａ）に示されるカードコネクタのＩＶ−ＩＶ線に沿う概略断面図である。
【図５】ＩＣカードのカードコネクタへの装着を説明するための図であり、（ａ）は、ＩＣカードが装着されている状態におけるカードコネクタの概略上面図であり、（ｂ）は、（ａ）に示されるカードコネクタのＶ−Ｖ線に沿う概略断面図である。
【図６】図５（ａ）のＶＩ−ＶＩ線に沿う概略断面図である。
【図７】図５（ａ）のＶＩＩ−ＶＩＩ線に沿う概略断面図である。
【図８】本発明の別カードコネクタの実施例であって、図３（ａ）と同様の状態にあるカードコネクタの概略上面図である。
【図９】図８のＩＸ−ＩＸ線に沿う概略断面図である。
【符号の説明】
【００５８】
１                カードコネクタ
１０              ベース部材
１１              底壁
１２              左側壁
１３              右側壁
１４              前壁
１７              （ベース部材１０の右側壁１３の）第１の凹部
１８              （ベース部材１０の右側壁１３の）凹部
１９              凹溝
３０              カバー部材
３１              天板
３２              左側壁
３３              右側壁
３４              前壁
３８              （カバー部材３０の右側壁３２の）第１の係合片
３９              （カバー部材３０の右側壁３２の）第２の係合片
４１              ストッパ
４３              支持片
４５              押さえバネ
５０              コンタクト
５５              ハート形カム機構
５６              ハートカム
５７              カム溝
５８              ロック金具
５９              コイルバネ
７０              ＩＣカード
【図１】
2007323945.tif 000003
【図２】
2007323945.tif 000004
【図３】
2007323945.tif 000005
【図４】
2007323945.tif 000006
【図５】
2007323945.tif 000007
【図６】
2007323945.tif 000008
【図７】
2007323945.tif 000009
【図８】
2007323945.tif 000010
【図９】
2007323945.tif 000011